(57)【特許請求の範囲】
【請求項１】
第１のパラメータを第１の方向に対応させると共に第２のパラメータを当該第１の方向と交差する第２の方向に対応させて測定対象に対する測定結果をグラフ形式で表示する測定結果表示用フレームを、少なくとも前記第１の方向と交差し、かつ前記第２の方向と異なる第３の方向にずらして測定順およびその逆順のいずれかの順に重ねた測定結果表示を表示部に表示させる表示制御部を備えた測定結果表示装置であって、
前記表示制御部は、前記第３の方向として２つの向きを指定されたときに、当該２つの向きのうちの１つの方向に前記測定結果表示用フレームをずらして前記測定順に重ねた測定表示結果、当該２つの向きのうちの他の１つの方向に前記測定結果表示用フレームをずらして前記測定順に重ねた測定表示結果、前記１つの方向に前記測定結果表示用フレームをずらして前記測定順の逆順に重ねた測定表示結果、および前記他の１つの方向に前記測定結果表示用フレームをずらして前記測定順の逆順に重ねた測定表示結果の４つを前記表示部に並べて表示させる測定結果表示装置。
【請求項２】
前記表示制御部は、周波数成分を前記第１のパラメータとし、測定レベルを前記第２のパラメータとするスペクトル表示用フレームを前記測定結果表示用フレームとして前記測定結果表示を表示させる請求項１記載の測定結果表示装置。
【請求項３】
第１のパラメータを第１の方向に対応させると共に第２のパラメータを当該第１の方向と交差する第２の方向に対応させて測定対象に対する測定結果をグラフ形式で表示する測定結果表示用フレームを、少なくとも前記第１の方向と交差し、かつ前記第２の方向と異なる第３の方向にずらして測定順およびその逆順のいずれかの順に重ねた測定結果表示を表示部に表示させる測定結果表示方法であって、
前記第３の方向として２つの向きを指定されたときに、当該２つの向きのうちの１つの方向に前記測定結果表示用フレームをずらして前記測定順に重ねた測定表示結果、当該２つの向きのうちの他の１つの方向に前記測定結果表示用フレームをずらして前記測定順に重ねた測定表示結果、前記１つの方向に前記測定結果表示用フレームをずらして前記測定順の逆順に重ねた測定表示結果、および前記他の１つの方向に前記測定結果表示用フレームをずらして前記測定順の逆順に重ねた測定表示結果の４つを前記表示部に並べて表示させる測定結果表示方法。
【発明の詳細な説明】
【技術分野】
【０００１】
本発明は、測定結果をグラフ形式で表示する測定結果表示用フレームを所定の方向にずらして重ねた状態で表示部に表示させる測定結果表示装置および測定結果表示方法に関するものである。
【背景技術】
【０００２】
この種の測定結果表示装置および測定結果表示方法として、出願人は、複数の周波数成分（測定対象成分）についての測定レベルをグラフによって表す（グラフ形式で表示する）測定結果表示用フレームを表示部に表示させる測定結果表示装置および測定結果表示方法（以下、単に「表示装置」および「表示方法」ともいう）を特開２０１１−２７６７３号公報に開示している。この場合、出願人が開示している表示装置および表示方法では、入力信号についての周波数スペクトルを所定時間間隔で測定すると共に、その測定データに基づいて、測定した各スペクトルを表すグラフを表示画面内において所定量ずつずらして測定順に重ねて表示させる構成・方法が採用されている。
【０００３】
具体的には、出願人が開示している表示装置および表示方法では、図３に示すように、周波数成分を画面左右方向に対応させると共に、各周波数成分のレベルを画面上下方向に対応させて各周波数成分毎の測定レベルをグラフＧａｘ〜Ｇｄｘ（以下、区別しないときには、「グラフＧｘ」ともいう）によって表示するスペクトル表示用フレーム２１ａｘ〜２１ｄｘ（以下、単に「フレーム２１ａｘ〜２１ｄｘ」ともいい、これらを区別しないときには「フレーム２１ｘ」ともいう）を、左下がりの斜め方向に沿ってずらして測定順に重ねることで測定結果を三次元的に表示する測定結果表示用画面１０ｘを表示部に表示させる構成・方法が採用されている。これにより、出願人が開示している表示装置および表示方法によれば、測定結果表示用画面１０ｘ内に測定順に並んで表示された各フレーム２１ｘ内のグラフＧｘを参照することで、経過時間に応じた各周波数成分毎の測定レベルの変化を直感的に把握することが可能となっている。
【先行技術文献】
【特許文献】
【０００４】
【特許文献１】特開２０１１−２７６７３号公報（第７−１３頁、第１−６図）
【発明の概要】
【発明が解決しようとする課題】
【０００５】
しかしながら、出願人が開示している表示装置および表示方法には、以下の改善すべき課題が存在する。すなわち、出願人が開示している表示装置および表示方法では、各フレーム２１ｘを左下がりの斜め方向に沿ってずらして測定順に重ねた測定結果表示用画面１０ｘを表示部に表示させる構成・方法が採用されている。しかしながら、このような構成・方法では、図３に示すように、例えば、フレーム２１ｂｘが重ねられたフレーム２１ｃｘのグラフＧｃｘにおいては、破線Ｌ１ｘで囲んだ部位および二重線Ｌ２ｘで囲んだ部位が、その手前側に重ねられたフレーム２１ｂｘにおけるグラフＧｂｘの下に隠れている。このため、この例では、グラフＧｃｘにおける破線Ｌ１ｘで囲んだ部位および二重線Ｌ２ｘで囲んだ部位についての測定レベルの識別が困難となっている。
【０００６】
このように、出願人が開示している表示装置および表示方法では、いずれかのフレーム２１ｘが重ねられたフレーム２１ｘのグラフＧｘが、重ねられたフレーム２１ｘのグラフＧｘの下に隠れてしまい、測定レベルの識別が困難となることがあるため、この点を改善するのが好ましい。
【０００７】
本発明は、かかる改善すべき課題に鑑みてなされたものであり、他の測定結果表示用フレームが重ねられた測定結果表示用フレームにおいてグラフ形式で表示される測定結果を確実かつ容易に認識させ得る測定結果表示装置および測定結果表示方法を提供することを主目的とする。
【課題を解決するための手段】
【０００８】
上記目的を達成すべく、請求項１記載の測定結果表示装置は、第１のパラメータを第１の方向に対応させると共に第２のパラメータを当該第１の方向と交差する第２の方向に対応させて測定対象に対する測定結果をグラフ形式で表示する測定結果表示用フレームを、少なくとも前記第１の方向と交差し、かつ前記第２の方向と異なる第３の方向にずらして測定順およびその逆順のいずれかの順に重ねた測定結果表示を表示部に表示させる表示制御部を備えた測定結果表示装置であって、前記表示制御部は、前記第３の方向として２つの向きを指定されたときに、当該２つの向きのうちの１つの方向に前記測定結果表示用フレームをずらして前記測定順に重ねた測定表示結果、当該２つの向きのうちの他の１つの方向に前記測定結果表示用フレームをずらして前記測定順に重ねた測定表示結果、前記１つの方向に前記測定結果表示用フレームをずらして前記測定順の逆順に重ねた測定表示結果、および前記他の１つの方向に前記測定結果表示用フレームをずらして前記測定順の逆順に重ねた測定表示結果の４つを前記表示部に並べて表示させる。なお、「第１のパラメータ」には、一例として、「周波数成分」や「測定時間」などのパラメータが含まれ、「第２のパラメータ」には、一例として、「測定レベル」や「測定数」などのパラメータ（測定値）が含まれる。
【００１０】
また、請求項２記載の測定結果表示装置は、請求項１記載の測定結果表示装置において、周波数成分を前記第１のパラメータとし、測定レベルを前記第２のパラメータとするスペクトル表示用フレームを前記測定結果表示用フレームとして前記測定結果表示を表示させる。
【００１１】
また、請求項３記載の測定結果表示方法は、第１のパラメータを第１の方向に対応させると共に第２のパラメータを当該第１の方向と交差する第２の方向に対応させて測定対象に対する測定結果をグラフ形式で表示する測定結果表示用フレームを、少なくとも前記第１の方向と交差し、かつ前記第２の方向と異なる第３の方向にずらして測定順およびその逆順のいずれかの順に重ねた測定結果表示を表示部に表示させる測定結果表示方法であって、前記第３の方向として２つの向きを指定されたときに、当該２つの向きのうちの１つの方向に前記測定結果表示用フレームをずらして前記測定順に重ねた測定表示結果、当該２つの向きのうちの他の１つの方向に前記測定結果表示用フレームをずらして前記測定順に重ねた測定表示結果、前記１つの方向に前記測定結果表示用フレームをずらして前記測定順の逆順に重ねた測定表示結果、および前記他の１つの方向に前記測定結果表示用フレームをずらして前記測定順の逆順に重ねた測定表示結果の４つを前記表示部に並べて表示させる。
【発明の効果】
【００１３】
請求項１記載の測定結果表示装置、および請求項３記載の測定結果表示方法によれば、指定された２つの向きをそれぞれ第３の方向として測定結果表示用フレームをずらして測定順およびその逆順に重ねた４つの測定結果表示を表示部に並べて表示させることにより、いずれかの測定結果表示におけるいずれかの測定結果表示用フレームのグラフのいずれかの部位が、その測定結果表示内の他のフレームのグラフの下に隠れているときに、他の測定結果表示における測定結果表示用フレームのグラフを対比して参照することで、他のグラフの下に隠れている部位が、他の測定結果表示におけるいずれの測定結果表示用フレームのいずれの部位に表示されているかを容易に特定することができるため、他のグラフの下に隠れている部位の測定レベルを一層容易に認識させることができる。
【００１４】
さらに、請求項２記載の測定結果表示装置によれば、第１のパラメータとしての周波数成分を第１の方向に対応させ、かつ第２のパラメータとしての測定レベルを第２の方向に対応させたスペクトル表示用フレームを測定結果表示用フレームとして測定結果表示を表示させることにより、各スペクトル表示用フレーム毎のグラフにおける各周波数成分毎の測定レベルが同様の値となることが多いことに起因して、手前側のスペクトル表示用フレームのグラフによって、そのスペクトル表示用フレームが重ねられた他のスペクトル表示用フレームのグラフにおけるいずれかの部位が隠された状態となり易い周波数スペクトルの表示に際して、他のグラフの下に隠れている部位の測定レベルを確実かつ容易に認識させることができる。
【図面の簡単な説明】
【００１５】
【図１】測定結果表示装置１のブロック図である。
【図２】測定結果表示装置１によって表示される測定結果表示用画面１０の表示画面図である。
【図３】出願人が開示している測定結果表示装置によって表示される測定結果表示用画面１０ｘの表示画面図である。
【発明を実施するための形態】
【００１６】
以下、添付図面を参照して、測定結果表示装置および測定結果表示方法の実施の形態について説明する。
【００１７】
図１に示す測定結果表示装置１は、入力信号Ｓｉについての周波数スペクトルを測定して、その測定結果（「測定対象に対する測定結果」の一例）を表示するスペクトルアナライザであって、測定部２、メモリ３、操作部４、表示部５および制御部６を備えて構成されている。測定部２は、入力信号Ｓｉを増幅するアンプや、アンプによって増幅された信号をデジタル変換するＡ／Ｄコンバータ等（図示せず）を備え、制御部６の制御に従って入力信号Ｓｉを所定時間間隔でサンプリングする（入力信号Ｓｉについての電気的パラメータを所定時間間隔で測定する）ことによって測定データＤ１を生成し、生成した測定データＤ１を制御部６に出力する。メモリ３は、上記の測定データＤ１や、制御部６の演算結果（後述する測定データＤ２等）を記憶する。この場合、メモリ３には、一例として、測定部２から順次出力される測定データＤ１を先入れ先出し法で記憶するリングバッファ形式の複数の記憶領域が規定されている。
【００１８】
操作部４は、測定結果表示装置１の動作条件を設定するための各種の操作スイッチを備え、スイッチ操作に応じた操作信号Ｓ１を制御部６に出力する。表示部５は、一例として、カラー液晶表示パネルを備えて構成され、制御部６の制御に従って、図２に示す測定結果表示用画面１０などを表示する。制御部６は、一例として、ＦＰＧＡ（Field Programmable Gate Array ）およびＣＰＵを備え、測定部２と相俟って「測定データ生成部」を構成する。具体的には、制御部６は、測定部２から出力された測定データＤ１をメモリ３に順次記憶させると共に、記憶させた測定データＤ１に対する所定の演算処理（一例として、高速フーリエ変換等）を実行することにより、入力信号Ｓｉについての所定時間毎の周波数スペクトルを演算して測定データＤ２を所定時間間隔で生成する。
【００１９】
また、制御部６は、「表示制御部」に相当し、生成した測定データＤ２に基づいて測定結果表示用画面１０を表示部５に表示させる。この場合、測定結果表示用画面１０は、制御部６によって演算された周波数スペクトルを測定順およびその逆順で三次元的に表示するための表示画面であって、同図に示す測定結果表示１１ａ〜１１ｄの４つの表示（以下、これらを区別しないときには「測定結果表示１１」ともいう）のうちから指定された１つ、または複数の測定結果表示１１で構成される。なお、同図では、測定結果表示１１ａ〜１１ｄのすべてが指定された状態の測定結果表示用画面１０を図示している。
【００２０】
測定結果表示１１ａは、周波数スペクトルを測定順に表示するための表示の１つであって、出願人が開示している表示装置および表示方法における測定結果表示用画面の表示と同様にして、複数のスペクトル表示用フレーム２１ａ〜２１ｄ（「測定結果表示用フレーム」の一例：以下、単に「フレーム２１ａ〜２１ｄ」ともいい、これらを区別しないときには「フレーム２１」ともいう）が左下がりの斜め方向（矢印Ａ３ａの方向：三次元的表示における第３次元：「第３の方向」の一例）に沿って所定量ずつずれながら重なって表示されている。なお、同図では、測定結果表示用画面１０の画面構成についての理解を容易とするために、各測定結果表示１１内にフレーム２１ａ〜２１ｄの４フレームだけ表示している例を図示しているが、この測定結果表示装置１では、利用者の目的に応じて、１つの測定結果表示１１内にさらに多数のフレーム２１（一例として、１０〜２００フレーム）を表示させることが可能となっている。
【００２１】
また、測定結果表示１１ｂは、周波数スペクトルを測定順に表示するための表示の他の１つであって、各フレーム２１ａ〜２１ｄが右下がりの斜め方向（矢印Ａ３ｂの方向：三次元的表示における第３次元：「第３の方向」の他の一例）に沿って所定量ずつずれながら重なって表示されている。さらに、測定結果表示１１ｃは、周波数スペクトルを測定順の逆順に表示するための表示の１つであって、各フレーム２１ａ〜２１ｄが右上がりの斜め方向（矢印Ａ３ａの方向）に沿って所定量ずつずれながら重なって表示されている。また、測定結果表示１１ｄは、周波数スペクトルを測定順の逆順に表示するための表示の他の１つであって、各フレーム２１ａ〜２１ｄが左上がりの斜め方向（矢印Ａ３ｂの方向）に沿って所定量ずつずれながら重なって表示されている。
【００２２】
この場合、この測定結果表示装置１では、各フレーム２１毎に、周波数成分（測定対象成分：「第１のパラメータ」の一例）を画面左右方向（矢印Ａ１の方向：三次元的表示における第１次元：「第１の方向」の一例）に対応させると共に、測定レベル（「ｄＢ」：「第２のパラメータ」の一例）を画面上下方向（矢印Ａ２の方向：三次元的表示における第２次元：「第１の方向と交差する第２の方向」の一例）に対応させて、各周波数成分についての測定レベル（周波数スペクトル）をグラフＧａ〜Ｇｄ（以下、区別しないときには「グラフＧ」ともいう）によって各測定結果表示１１内に表示させる構成（周波数スペクトルをグラフ形式で測定結果表示１１内に表示させる構成）が採用されている。また、この測定結果表示装置１では、後述するように、制御部６が、測定部２から出力される測定データＤ１に基づいて新たな測定データＤ２を生成する度に、各測定結果表示１１の表示内容を更新する構成が採用されている。
【００２３】
この測定結果表示装置１の使用に際しては、まず、操作部４を操作して測定結果表示装置１の動作条件（測定条件および表示条件）を設定する。この際に、一例として、測定条件として、各測定結果表示１１内における各フレーム２１の描画間隔（「第３の方向」に対応する各フレーム２１の測定時間間隔））を１秒に設定する。また、表示条件としては、測定結果表示１１ａ〜１１ｄのすべてを測定結果表示用画面１０内に表示させるように測定結果表示１１ａ〜１１ｄのすべてを指定する。これにより、各フレーム２１が表示されていない状態の４つの測定結果表示１１ａ〜１１ｄが測定結果表示用画面１０内に並んで表示部５に表示される（図示せず）。
【００２４】
なお、本例の測定結果表示装置１では、「第３の方向」が相違する予め用意された複数の測定結果表示１１ａ〜１１ｄのうちから測定結果表示用画面１０内に表示させる測定結果表示１１を指定することで「第３の方向の向き」を指定することができるように構成されている。つまり、本例の測定結果表示装置１では、複数の測定結果表示１１ａ〜１１ｄのうちから任意の測定結果表示１１を指定する操作が「第３の方向の向き」を指定する操作となり、測定結果表示１１ａ〜１１ｄの４つを指定する上記の例では、この「４つの測定結果表示１１ａ〜１１ｄが指定されたとき」が、「複数の向きが指定されたとき」に相当する。この場合、図示は省略するが、上記の動作条件の設定に際して測定結果表示１１ａ〜１１ｄの４つのうちから３つ以下の測定結果表示１１が指定されたときには、指定された測定結果表示１１だけが測定結果表示用画面１０内に表示される。
【００２５】
次いで、操作部４の開始スイッチを操作することにより、制御部６による測定データＤ２の記憶処理、および測定データＤ２に基づく周波数スペクトルの表示処理（測定結果表示用画面１０の表示処理）が開始される。具体的には、操作部４から処理開始を指示する操作信号Ｓ１が出力されたときに、制御部６は、測定部２を制御して測定処理を開始させる。これに応じて、測定部２は、入力信号Ｓｉをデジタル変換すると共に、変換したデジタル信号について１秒間隔でサンプリングして測定データＤ１を生成し、生成した測定データＤ１を制御部６に出力する。また、制御部６は、測定部２から出力された測定データＤ１をメモリ３に順次記憶させる。さらに、制御部６は、上記の測定データＤ１のメモリ３への記憶処理と並行して、測定部２から測定データＤ１が出力される度に、その測定データＤ１（メモリ３に記憶させた測定データＤ１）に基づく周波数スペクトルの演算処理を実行する。
【００２６】
具体的には、制御部６は、メモリ３に記憶させた測定データＤ１を読み出して所定の演算処理（高速フーリエ変換等）を実行することにより、その測定データＤ１に基づく周波数スペクトルを演算して測定データＤ２を生成し、生成した測定データＤ２をメモリ３に記憶させる。なお、測定部２によってデジタル変換された測定データＤ１に基づく周波数スペクトルの演算方法は公知のため、その詳細な説明を省略する。また、制御部６は、生成した測定データＤ２に基づき、測定結果（測定対象の入力信号Ｓｉについての周波数スペクトル）を表示させるための表示用データを生成して出力することにより、図２に示すように、測定結果表示用画面１０を表示部５に表示させる。
【００２７】
この際に、制御部６は、測定結果表示１１ａについては、各測定データＤ２に基づく各フレーム２１（グラフＧ）を左下がり方向（矢印Ａ３ａの方向）に沿ってずらして測定順に重ねて（一例として、最新の測定結果に近い測定結果のフレーム２１ほど左下に位置するように、右上から左下に向かう向きで重ねて）表示させる。また、制御部６は、測定結果表示１１ｂについては、各測定データＤ２に基づく各フレーム２１（グラフＧ）を右下がり方向（矢印Ａ３ｂの方向）に沿ってずらして測定順に重ねて（一例として、最新の測定結果に近い測定結果のフレーム２１ほど右下に位置するように、左上から右下に向かう向きで重ねて）表示させる。
【００２８】
さらに、制御部６は、測定結果表示１１ｃについては、各測定データＤ２に基づく各フレーム２１（グラフＧ）を右上がり方向（矢印Ａ３ａの方向）に沿ってずらして測定順の逆順に重ねて（一例として、最新の測定結果に近い測定結果のフレーム２１ほど右上に位置するように、左下から右上に向かう向きで重ねて）表示させる。また、制御部６は、測定結果表示１１ｄについては、各測定データＤ２に基づく各フレーム２１（グラフＧ）を左上がり方向（矢印Ａ３ｂの方向）に沿ってずらして測定順に重ねて（一例として、最新の測定結果に近い測定結果のフレーム２１ほど左上に位置するように、右下から左上に向かう向きで重ねて）表示させる。
【００２９】
この後、制御部６は、測定部２から出力された測定データＤ１に基づいて生成した測定データＤ２の記憶処理、およびその測定データＤ２に基づくフレーム２１（グラフＧ）の表示処理を１秒間隔で繰り返して実行する。なお、図２に示す測定結果表示用画面１０は、測定開始から４秒が経過した時点の測定結果表示１１ａ〜１１ｄを示している。これにより、利用者に対して、各測定結果表示１１内の各グラフＧを参照させて入力信号Ｓｉを分析させることができる。
【００３０】
この場合、同図に示す測定結果表示用画面１０の測定結果表示１１ａでは、フレーム２１ｂが重ねられたフレーム２１ｃのグラフＧｃにおける破線Ｌ１ａで囲んだ部位および二重線Ｌ２ａで囲んだ部位が、その手前側に重ねられたフレーム２１ｂのグラフＧｂの下に隠れている。このため、測定結果表示１１ａを参照しただけでは、グラフＧｃにおける破線Ｌ１ａで囲んだ部位および二重線Ｌ２ａで囲んだ部位についての、測定レベルの識別が困難となっている。
【００３１】
一方、測定結果表示１１ａと並んで測定結果表示用画面１０内に表示されている測定結果表示１１ｃでは、そのフレーム２１ｃのグラフＧｃにおける破線Ｌ１ｃで囲んだ部位（測定結果表示１１ａにおけるフレーム２１ｃのグラフＧｃにおける破線Ｌ１ａで囲んだ部位に対応する部位）が、フレーム２１ｃの手前側に重ねられたフレーム２１ｄのグラフＧｄの下に隠れることなく表示されている。このため、測定結果表示１１ａにおけるフレーム２１ｃのグラフＧｃにおける破線Ｌ１ａで囲んだ部位については、測定結果表示１１ｃのグラフＧｃを参照することで、その測定レベルを識別することが可能となっている。
【００３２】
また、測定結果表示１１ａと並んで測定結果表示用画面１０内に表示されている測定結果表示１１ｂでは、そのフレーム２１ｃのグラフＧｃにおける二重線Ｌ２ｂで囲んだ部位（測定結果表示１１ａにおけるフレーム２１ｃのグラフＧｃにおける二重線Ｌ２ａで囲んだ部位に対応する部位）が、フレーム２１ｃの手前側に重ねられたフレーム２１ｂのグラフＧｂの下に隠れることなく表示されている。さらに、測定結果表示１１ｄでは、そのフレーム２１ｃのグラフＧｃにおける二重線Ｌ２ｄで囲んだ部位（測定結果表示１１ａにおけるフレーム２１ｃのグラフＧｃにおける二重線Ｌ２ａで囲んだ部位に対応する部位）が、フレーム２１ｃの手前側に重ねられたフレーム２１ｄのグラフＧｄの下に隠れることなく表示されている。このため、測定結果表示１１ａにおけるフレーム２１ｃのグラフＧｃにおける二重線Ｌ２ａで囲んだ部位については、測定結果表示１１ｂ，１１ｄのグラフＧｃを参照することで、その測定レベルを識別することが可能となっている。
【００３３】
このように、この測定結果表示装置１、および測定結果表示装置１による測定結果表示方法によれば、「第３の方向」を相違させてスペクトル表示用フレーム２１ａ〜２１ｄをずらして測定順およびその逆順のいずれかの順に重ねた測定結果表示１１ａ〜１１ｄのうちから指定された測定結果表示１１（指定された向きを「第３の方向」とする測定結果表示１１：本例では、測定結果表示１１ａ〜１１ｄのすべて）を表示部５に表示させることにより、いずれかの測定結果表示１１におけるいずれかのフレーム２１のグラフＧのいずれかの部位が、その測定結果表示１１内の他のフレーム２１のグラフＧの下に隠れていたとしても、「第３の方向」を相違させた他の測定結果表示１１におけるフレーム２１のグラフＧを参照させることで、他のグラフＧの下に隠れている部位の測定レベルを確実かつ容易に認識させることができる。
【００３４】
また、この測定結果表示装置１、および測定結果表示装置１による測定結果表示方法によれば、指定された複数の測定結果表示１１ａ〜１１ｄ（指定された複数の向きをそれぞれ「第３の方向」とする複数の測定結果表示１１）を表示部５に並べて表示させることにより、いずれかの測定結果表示１１におけるいずれかのフレーム２１のグラフＧのいずれかの部位が、その測定結果表示１１内の他のフレームのグラフＧの下に隠れているときに、他の測定結果表示１１におけるフレーム２１のグラフＧを対比して参照することで、他のグラフＧの下に隠れている部位が、他の測定結果表示１１におけるいずれのフレーム２１のいずれの部位に表示されているかを容易に特定することができるため、他のグラフＧの下に隠れている部位の測定レベルを一層容易に認識させることができる。
【００３５】
さらに、この測定結果表示装置１、および測定結果表示装置１による測定結果表示方法によれば、「第１のパラメータ」としての周波数成分を「第１の方向」としての矢印Ａ１の方向に対応させ、かつ「第２のパラメータ」としての測定レベルを「第２の方向」としての矢印Ａ２の方向に対応させたスペクトル表示用フレーム２１ａ〜２１ｄを「測定結果表示用フレーム」として測定結果表示１１ａ〜１１ｄを表示させることにより、各フレーム２１毎のグラフＧにおける各周波数成分毎の測定レベルが同様の値となることが多いことに起因して、手前側のフレーム２１のグラフＧによって、そのフレーム２１が重ねられた他のフレーム２１のグラフＧにおけるいずれかの部位が隠された状態となり易い周波数スペクトルの表示に際して、他のグラフＧの下に隠れている部位の測定レベルを確実かつ容易に認識させることができる。
【００３６】
なお、「測定結果表示装置」および「測定結果表示方法」は、上記の測定結果表示装置１の構成およびその表示方法に限定されない。例えば、入力信号Ｓｉについての測定処理（測定データＤ２の生成処理）と並行して測定結果表示用画面１０内の各測定結果表示１１にフレーム２１を表示させる例について説明したが、上記の測定結果表示装置１では、入力信号Ｓｉについての一連の測定処理が完了した時点（複数の測定データＤ２がメモリ３に記憶された時点）において、測定データＤ２に基づくフレーム２１を各測定結果表示１１内に表示させることもできる。このような使用形態においても、測定処理と並行して測定結果表示用画面１０内の各測定結果表示１１にフレーム２１を表示させたときと同様の効果を奏することができる。
【００３７】
また、上記の測定結果表示装置１では、各フレーム２１内に折れ線グラフ形式のグラフＧを表示する構成・方法が採用されているが、グラフＧに代えて、各周波数成分毎のレベルを示す棒グラフ形式のグラフ等を表示させる構成・方法を採用することもできる（図示せず）。さらに、複数の測定結果表示１１ａ〜１１ｄを測定結果表示用画面１０内に並べて表示させる例について説明したが、測定結果表示１１ａ〜１１ｄのうちから指定された１つを表示部５に表示させ、他の測定結果表示１１が指定されたときに、測定結果表示用画面１０内に表示させている測定結果表示１１を、新たに指定された測定結果表示１１に表示替えする構成・方法を採用することもできる。このような構成・方法を採用した場合においても、上記の測定結果表示装置１と同様の効果を奏することができる。
【００３８】
また、「第３の方向」が相違する予め用意された複数の測定結果表示１１ａ〜１１ｄのうちから任意の測定結果表示１１を指定する構成・方法を例に挙げて説明したが、上記の例の測定結果表示１１における矢印Ａ３ａ，Ａ３ｂの方向の矢印Ａ１の方向に対する交差角度（「第３の方向の向き」）を任意に指定することで、「第３の方向」が相違する任意の「測定結果表示」を測定結果表示用画面１０内に表示させる構成・方法を採用することができる。このような構成・方法を採用した場合においても、上記の測定結果表示装置１と同様の効果を奏することができる。
【００３９】
さらに、「第１のパラメータ」および「第２のパラメータ」については、「周波数成分」や「測定レベル」に限定されず、「温度」、「湿度」、「力」、「音」、「波長」、「周波数」、「個数」、「位置（距離）」、「測定時間」および「測定回数」等の各種パラメータのなかから、「第１のパラメータ」および「第２のパラメータ」として任意のパラメータを選択してグラフ形式で表示させることができる。
【００４０】
具体的には、一例として、入力信号（測定対象）の信号波形を測定結果として表示する構成・方法においては、「第１のパラメータ」としての「測定時間（測定開始からの経過時間）」を「第１の方向」に対応させると共に、「第２のパラメータ」としての「各測定時間毎の測定レベル（電圧値等）」を「第２の方向」に対応させてグラフ形式によって表す「測定結果表示用フレーム（図示せず）」を「測定結果表示」内に表示させる構成・方法を採用することができる。このような構成・方法を採用した場合においても、上記の測定結果表示装置１と同様にして、他のグラフＧ（波形）の下に隠れている部位の測定レベルを確実かつ容易に認識させることができる。
【００４１】
また、「第１のパラメータ」としての「測定時間」を「第１の方向」に対応させると共に、「第２のパラメータ」としての「各測定時間毎の温度や湿度等」を「第２の方向」に対応させてグラフ形式によって表す「測定結果表示用フレーム（図示せず）」を「測定結果表示」内に表示させる構成・方法を採用することもできる。
【００４２】
さらに、画面左右方向（矢印Ａ１の方向）を「第１の方向」とし、かつ画面上下方向（矢印Ａ２の方向）を「第２の方向」とした例について説明したが、画面上下方向を「第１の方向」とし、かつ画面左右方向を「第２の方向」として「測定結果表示用フレーム」を表示させる構成・方法を採用することもできる。さらに、「第３の方向」については「第２の方向」と同一方向とすることもできる。
【符号の説明】
【００４３】
１  測定結果表示装置
２  測定部
３  メモリ
４  操作部
５  表示部
６  制御部
１０  測定結果表示用画面
１１ａ〜１１ｄ  測定結果表示
２１ａ〜２１ｈ  スペクトル表示用フレーム
Ａ１，Ａ２，Ａ３ａ，Ａ３ｂ  矢印
Ｄ１，Ｄ２  測定データ
Ｇａ〜Ｇｄ  グラフ
Ｓ１  操作信号
Ｓｉ  入力信号
【図１】
0005917094.tif 000002
【図２】
0005917094.tif 000003
【図３】
0005917094.tif 000004